(57)【特許請求の範囲】
【請求項１】
封筒表面となる矩形状表紙片と、表紙片の一辺と連続する情報表示片と、表紙片の他の三辺のいずれかと連続する矩形状裏紙片とを備え、情報表示片と表紙片とでＡ３，Ｂ４、Ａ４などの印刷紙の規格寸法となるようにし、裏紙片を表紙片に対して折り込んで、該表紙片の裏面に接合することにより、表紙片と裏紙片とで、上方を開口とする封筒が形成されてなり、
表紙片と、情報表示片とがその見開き状態で同時に印字されるようにし、
さらに前記情報表示片の、表紙片と連続する一辺を除く他の三辺のいずれかと、情報表示片と同一形状の台紙片を連成するようにし、該台紙片を情報表示片の裏面と接合するようにしたことを特徴とする封筒帳票。
【発明の詳細な説明】
【０００１】
【発明の属する技術分野】
本発明は、薬袋に最適の封筒帳票に関するものである。
【０００２】
【従来の技術】
昨今、薬袋には、患者に投薬内容を公開して、患者に安心感，信頼感を与えたり、誤用を避ける等の目的で、その薬の成分，効能等の投薬情報を記入した服薬指導書が封入されることが多くなってきている。
このような服薬指導書は、通常，各病院の薬局で、レーザープリンタ等で印字して、患者別に作成される。
【０００３】
【発明が解決しようとする課題】
ところで、上述のような服薬指導書の作成工程をみると、薬袋の表紙への、氏名，用法などの基本情報の印字と、服薬指導書への印字とを別個に行わなければならず、印字に手間がかかると共に、ランニングコストが高くなり、印字時間が長くなる等の問題点がある。
【０００４】
また、別葉であるため、服薬指導書の封入ミスを招来し易く、プライバシーが侵されるだけでは無く、薬の誤用をも生じる危険もある。さらには、二葉の書面を別途管理する必要があり、在庫管理が面倒となるという問題もある。尚、薬袋の表紙に基本情報のほか、服薬指導情報も印字する場合もあり得るが、この場合には、印字面積が小さく十分な情報を書き込むことができない。
【０００５】
一方、このような薬袋だけではなく、表面に情報を印字する必要がある封筒にあって、その封筒と関連した情報が別紙で記載されているような場合にも同様な問題を生ずることがある。
【０００６】
本発明は、封筒帳票と該封筒に関連した情報が一体的に結合され、かつ封筒表面への印字と関連情報の印字とを一回の印字作業により行うことができる構成の封筒帳票を提供することを目的とするものである。
【０００７】
【課題を解決するための手段】
本発明は、封筒表面となる矩形状表紙片と、表紙片の一辺と連続する情報表示片と、表紙片の他の三辺のいずれかと連続する矩形状裏紙片とを備え、情報表示片と表紙片とでＡ３，Ｂ４、Ａ４などの印刷紙の規格寸法となるようにし、裏紙片を表紙片に対して折り込んで、該表紙片の裏面に接合することにより、表紙片と裏紙片とで、上方を開口とする封筒が形成されてなり、
表紙片と、情報表示片とがその見開き状態で同時に印字されるようにし、
さらに前記情報表示片の、表紙片と連続する一辺を除く他の三辺のいずれかと、情報表示片と同一形状の台紙片を連成するようにし、該台紙片を情報表示片の裏面と接合するようにしたことを特徴とする封筒帳票である。
【０００８】
または、封筒表面となる矩形状表紙片と、表紙片の一辺と連続する情報表示片と、単片状の矩形状裏紙片とを少なくとも備え、裏紙片をコ字状接着剤層を介して表紙片の裏面に接合することにより、表紙片と裏紙片とで上方を開口とする封筒を形成してなり、表紙片と、情報表示片とがその見開き状態で同時に印字されるようにしたことを特徴とする封筒帳票である。
【０００９】
かかる構成にあって封筒に情報表示片が結合されている。従って、関連情報が封筒に常に付帯することとなり、かつ封筒に別葉の情報紙片を封入する必要がない。しかも、その見開き状態で、表紙片の表面と、情報表示片の印字面とが同一面となる。このため、レーザプリンタ，インクジェットプリンタ，ドットインパクトプリンタ等の印字手段を用いて、一回の印字作業により両面に所要の情報を印字することができ、印字作業が容易である。また、封筒の表紙以外に、情報表示片を付帯させたから、十分な印字面積が確保され、十分な情報を表示ができると共に、内容を読みやすくすることができる。
【００１０】
かかる構成にあって、前記情報表示片の、表紙片と連続する一辺を除く他の三辺のいずれかと、情報表示片と同一形状の台紙片を連成するようにし、該台紙片を情報表示片の裏面と接合するようにしても良い。
【００１１】
また、かかる構成にあって、封筒は表紙片と裏紙片とが接合されてなり、情報表紙片はその裏面に台紙片が接合されることとなり、いずれも二枚の紙片が重なり合ってなり、紙厚が等しい。このためプリンタに供給する場合に、印字ミスや紙送りのミスが避けられ、しかも、多数枚を積層した状態でも、紙厚が全面で同じであるから、整一な積層状態が維持され、在庫管理が容易となる。
【００１２】
この構成の封筒帳票は薬袋に最適であり、この場合には、矩形状表紙片に氏名，用法などの基本情報が記載され、情報表示片に薬の効能，成分，注意書き等が記載された服薬指導情報等の情報が記載されることとなる。
【００１３】
これにより、印字が一回で済むと共に、情報表示片が服薬指導書となり、服薬指導書の封入ミスが防止される。また、薬袋の表紙に基本情報と、服薬指導情報を印字する場合に比して、十分な印字面積が確保され、患者に医療又は薬情報等の注意情報を十分に提供することができると共に、内容を読みやすくすることができる。
【００１４】
【発明の実施の形態】
本発明に係る第一実施例の薬袋に用いられる封筒帳票１ａを、図１〜３に従って説明する。
図１のＡ，Ｂは封筒帳票１ａを作成するために供せられる帳票用紙２ａであり、矩形状表紙片３の上辺に情報表示片４が、矩形状表紙片３の下辺に裏紙片５が夫々折り込み線７，８を介して上下方向に連成されている。また、表紙片３の裏面には左右の側辺縁に沿って、二本の接着剤層９，９が形成される。ここで各紙片３，４，５は縦２９７ｍｍ，横２１０ｍｍのＡ４サイズとする。尚、実施例は、縦長としたが、横長としても良い。
【００１５】
前記表紙片３及び情報表示片４には、病院名，罫線，記載フォーム，一般的な注意書のなどの固定情報ｘが、あらかじめ印刷される。なお、この固定情報も省略して完全に白紙とし、後述するプリンタによる印字の際に患者の情報等と共に、同時に印字しても良い。
【００１６】
かかる構成の帳票用紙２ａは、裏紙片５を折り込み線８で折り返して、接着剤層９により表紙片３の裏面に接合され、これにより、上部を開口１１とする封筒１０が形成される。
【００１７】
而して、封筒帳票１ａが構成される。この封筒帳票１ａは、情報表示片４を見開き状とした図３の状態で、表紙片３の上面と情報表示片４の上面とが面一状となり、全体の大きさがＡ３サイズとなる。このように印字面が、Ａ３サイズの大きさの紙片の片面となるから、レーザプリンタ等により一回の印字により、その両面が印字可能となる。尚、この封筒帳票１ａの平面形状は、Ａ３以外に、Ｂ４，Ｂ５，Ａ４などの印刷紙の規格形状とすることができ、これにより、市販のレーザプリンタへの適用が容易となる。
【００１８】
そして、表紙片３の上面には、各病院，薬局などで、各患者または、使用者に対応して、氏名，用法などの基本情報ｙが印字され、情報表示片４の上面には、薬の種類、薬効等が記載された服薬指導情報ｚが印字される。上述したように、この印字は、あらかじめ印刷された固定情報ｘのブランク領域に、氏名，投薬情報等の各患者に対する個別の情報のみを印字するようにしても良く、または、あらかじめ全面を白紙にして置き、印字時に表紙片３，情報表示片４上に固定情報ｘも含めて、全情報を印字するようにしても良い。
【００１９】
尚、情報表示片４上には、医療又は薬情報等の服薬指導書き以外に、流感等の時宜に応じた医療情報、医院の諸案内等、その他種々の注意情報を記載することができる。即ち、印字面積が情報表示片４により拡大したから、この面を用いて種々の情報を提供することが可能となる。
【００２０】
また、かかる構成にあって、情報表示片４は封筒１０と一体となっているから、各患者ごとに各別に印字される服薬情報が封筒１０に付帯することとなるため、服薬指導書の封入ミスが防止される。
【００２１】
そして、かかる印字を行った後に、封筒１０の開口１１から薬が収納され、情報表示片４を折り込み線７で後方へ折り込む。これにより、この情報表示片４が封筒の蓋となり、内部の薬が封筒帳票１ａを逆さにしても開口１１から落下しない。すなわち、情報表示片４は、服薬指導書と、封筒の蓋との二つの役割を担うこととなる。また、情報表示片４により封筒１０の開口１１を拡開する操作も容易となる。
【００２２】
ここで、折り込み線７はミシン目により形成され、これにより、情報表示片４を該折り込み線７で切り離すことも可能となる。即ち、各家庭に、封筒帳票１ａを持ち帰ったのちに、封筒１０内の薬の出し入れを容易とするために、情報表示片４を分離して破棄することもできる。または、服薬指導情報ｚが記載されたこの情報表示片４を、分離して保管することにより、自己の服薬管理が可能となる。この場合には、服薬履歴が容易に整理され、他の病院での治療方針を立てる上での有益な情報となる。
【００２３】
一方、図４は、変形例を示すものであり、表紙片３の裏面にコ字状の接着剤層９を塗着形成すると共に、裏紙片５を表紙片３から分離された単片状とし、該裏紙片５を表紙片３の裏面に重ね合わせて、コ字状の接着剤層９で接合したものである。この構成にあっては、コ字状の接着剤層９の横辺部により、裏紙片５と表紙片３との下縁が接合されるから、上辺を除いて三辺が表紙片３の裏面に接合されて、封筒１０を構成することができる。
【００２４】
図５〜７は、本発明の第二実施例に係る封筒帳票１ｂを示すものである。
ここで、この封筒帳票１ｂの帳票用紙２ｂは、表紙片３の一側辺に連続してミシン目からなる折り込み線７を介して情報表示片４が連続し、さらに表紙片３の下辺に裏紙片５が連続して構成される。ここで、裏紙片５の下縁には、開封の指かかりとなる円弧状切欠１２が形成される。
【００２５】
かかる構成にあって、前記表紙片３の裏面には、両側辺縁に沿って、二本の接着剤層９が塗着される。尚、第一実施例の図４と同様に、下辺も含むコ字状の接着剤層９としても良い。そして、表紙片３の裏面に裏紙片５が折り込み線８を介して折り込まれて、重ね合わされ、これにより接着剤層９を介して表紙片３と裏紙片５がその周縁で接合されて、上端に開口１１を有する封筒１０が構成されることとなる。ここで、前記開口１１の裏部には切欠１２が配置され、その開放操作が容易となる。
【００２６】
かかる構成にあっても、表紙片３と情報表示片４の印字面が同一面となるため、一回の印字により、表紙片３の上面に氏名，用法等の基本情報ｙが、情報表示片４の上面に服薬指導情報ｚ等の注意情報が印字される。
【００２７】
この構成にあっては、情報表示片４を見開き状とした場合に、表紙片３，情報表示片４が左右に位置するから、表紙片３上に記載された薬の用法と、情報表示片４上に記載された薬の効用を見比べ易い等、各情報が全体として見易く印字される利点がある。
【００２８】
図８〜１０は、本発明の第三実施例に係る封筒帳票１ｃを示すものである。
ここで、この封筒帳票１ｃの帳票用紙２ｂは、情報表示片４が、表紙片３の一側辺に、ミシン目からなる折り込み線７を介して連成され、表紙片３の下辺に裏紙片５が、折り込み線８を介して連成されると共に、さらに、情報表示片４の下辺に台紙片１５が連成される。この台紙片１５と、情報表示片４とは、該情報表示片４の下辺に沿って形成された折り込み線１６で連続する。この折り込み線１６は、折り込み線８と連続している。また、裏紙片５と、台紙片１５とは、ミシン目からなる折り込み線１７により連続している。この折り込み線１７は折り込み線７と連続している。しかして、各四つの紙片は一枚の紙により縦横に隣接して、四つ折り状に配置され、全体として矩形状を呈している。その他、前記裏紙片５の下辺中央には、切欠１２が形成される。この帳票用紙２ｂの裏面にあって、前記表紙片３の裏面には、左右の二側辺縁に沿って二本の接着剤層９が形成される。尚、図４で示すようにコ字状の接着剤層９を塗着形成しても、勿論良い。
【００２９】
また、前記情報表示片４の裏面には、全面または全周縁に沿って矩形状に、接着剤１９が塗着される。
【００３０】
そして、表紙片３，情報表示片４上にあらかじめ固定情報が記載されるか、または白紙の状態で、裏紙片５，台紙片１５が折り込み線８，１７を介して折り込まれる。これにより、表紙片３の裏面に裏紙片５が接合されて封筒１０が形成され、情報表示片４の裏面に台紙片１５が接合される。即ち、二つ折により、Ａ３サイズ（他の規格形状であっても良い）の大きさの封筒帳票１ｃが形成されることとなる。
【００３１】
かかる構成にあって、表紙片３，情報表示片４の表面は同一面となり、一回の印字より、他の実施例と同様に、所要の情報が記入される。一方、情報表示片４の裏面には、台紙片１５が接合される。したがって、その全面において二枚の紙片が接合された状態となり、同じ紙厚となる。このため、封筒帳票１ｃをプリンターに供給した場合に、その表裏面で面一状となり、かつ等厚であるから、紙送りが円滑になされ、かつ印字面が整一となるから、均一なムラの無い印字が可能となる。さらには、多数枚を積層した場合にも、整一に積層し得るから、保管が容易となる。すなわち、通常の規格用紙とまったく同様に扱い得る利点がある。
【００３２】
上述の各構成は、表紙片３の上辺又は側辺に情報表示片４を連成し、裏紙片５を上辺を除くいずれかの辺に連成した構成になるものであるが、情報表示片４を表紙片３の下辺に連続し、裏紙片５を帳票用紙２の側辺に連続して構成したものであっても良い。
【００３３】
上述の構成は、薬袋に本発明を適用したものであるが、薬袋だけでは無く、表面に情報を印字する必要がある封筒にあって、その封筒と関連した情報が別紙で記載されているような場合にも有用である。
【００３４】
【発明の効果】
本発明は上述のように、封筒表面となる矩形状表紙片と、情報表示片と、矩形状裏紙片とを備え、裏紙片を表紙片の裏面に接合することにより、表紙片と裏紙片とで、上方を開口とする封筒が形成されるようにし、かつ、表紙片と、情報表示片とがその見開き状態で同時に印字されるようにした封筒帳票であるから、封筒に情報表示片が結合され、関連情報が封筒に常に付帯することとなり、情報管理が容易であり、かつ封筒に別様の情報紙片を封入する必要がなく面倒がない。しかも、その見開き状態で、表紙片の表面と、情報表示片の印字面とが同一面となる。このため、レーザプリンタ，インクジェットプリンタ，ドットインパクトプリンタ等の印字手段を用いて、一回の印字作業により両面に所要の情報を印字することができ、片面プリントで良いから、印字時間が短縮化でき、印字コストが低減化すると共に、一葉からなるため、在庫管理が容易となる等の優れた効果がある。さらには、情報表示片により、十分な印字面が確保され、十分な情報を提供することができると共に、内容を読みやすくすることができる。
【００３５】
また、かかる構成にあって、情報表示片の、表紙片と連続する一辺を除く他の三辺のいずれかと、折り込み線を介して、情報表示片と同一形状の台紙片を連成するようにし、該台紙片を情報表示片の裏面と接合するようにした構成にあっては、全面にわたって二枚の紙片が重なり合って構成され、紙厚が等しくなる。このためプリンタに供給する場合に、印字ミスや紙送りのミスが避けられ、しかも、多数枚を積層した状態でも、紙厚が全面で同じであるから、整一な積層状態が維持され、管理，保管が容易となる。
【００３６】
かかる構成の封筒帳票は薬袋に最適であり、この場合には、矩形状表紙片に氏名，用法などの基本情報が記載され、情報表示片に服薬指導情報等の情報が記載されることとなり、これにより、印字が一回で済むと共に、情報表示片が服薬指導書となり、従来に頻発した服薬指導書の封入ミスが防止され、これに起因するプライバシーの侵害や、薬の誤用等の問題を解決することができる利点がある。また、情報表示片により印字面積が広く確保されたから、医療又は薬情報等の服薬指導情報以外に、流感等の時宜に応じた医療情報、医院の諸案内等、その他種々の情報を提供することができ、薬袋の有用性を高めることができる。
【図面の簡単な説明】
【図１】  第一実施例に係る封筒帳票１ａの帳票用紙２ａの展開図であり、Ａは表面図、Ｂは裏面図である。
【図２】  封筒帳票１ａの平面図である。
【図３】  封筒帳票１ａの斜視図である。
【図４】  接着剤層９の塗布態様を異ならせ、裏紙片５を単片とした封筒帳票１ａの変形例の裏面図である。
【図５】  第二実施例に係る封筒帳票１ｂの帳票用紙２ｂの展開図であり、Ａは表面図、Ｂは裏面図である。
【図６】  封筒帳票１ｂの平面図である。
【図７】  封筒帳票１ｂの斜視図である。
【図８】  第三実施例に係る封筒帳票１ｃの帳票用紙２ｃの展開図であり、Ａは表面図、Ｂは裏面図である。
【図９】  封筒帳票１ｃの平面図である。
【図１０】  封筒帳票１ｃの斜視図である。
【符号の説明】
１ａ，１ｂ，１ｃ  封筒帳票
２ａ，２ｂ，２ｃ  帳票用紙
３  表紙片
４  情報表示片
５  裏紙片
７，８，１６，１７  折り込み線
９，１９  接着剤層
１０  封筒
１１  開口
１５  台紙片
【図１】
0004510171.tif 000002
【図２】
0004510171.tif 000003
【図３】
0004510171.tif 000004
【図４】
0004510171.tif 000005
【図５】
0004510171.tif 000006
【図６】
0004510171.tif 000007
【図７】
0004510171.tif 000008
【図８】
0004510171.tif 000009
【図９】
0004510171.tif 000010
【図１０】
0004510171.tif 000011